(57)【要約】【課題】本願発明はテントの開閉がスムーズに行え、設置作業が容易なテントの開閉装置、及びテントの開閉方法を提供する。【解決手段】空間部の屋根を形成するフレームの大小に応じて単数又は複数に分割したシートから形成されたテントと、該テントの開閉方向と交差する方向に沿って所望の間隔で横設した複数本の棒状体と、前記テントの先端の棒状体に取り付けられた誘導体と、他の棒状体に取り付けられた移動滑車と、前記テントの開閉方向に沿って架け渡し、移動滑車を移動自在に取り付けたガイド用ロープと、前記テントの開閉方向に沿って架け渡し、誘導体を固定した駆動用ロープと、該駆動用ロープを移動するウインチから構成されたテントの開閉装置において、前記誘導体が、駆動用ロープに対して架け渡し方向に調整可能で、且つ移動滑車がガイド用ロープに対して上下方向に調整可能に構成されている。【選択図】図１
2015209756.tif 000002
【特許請求の範囲】
【請求項１】
空間部の屋根を形成するフレームの大小に応じて単数又は複数に分割したシートから形成されたテントと、該テントの開閉方向と交差する方向に沿って所望の間隔で横設した複数本の棒状体と、前記テントの先端の棒状体に取り付けられた誘導体と、前記他の棒状体に取り付けられた移動滑車と、前記テントの開閉方向に沿って架け渡し、移動滑車を移動自在に取り付けたガイド用ロープと、前記テントの開閉方向に沿って架け渡し、誘導体を固定した駆動用ロープと、該駆動用ロープを移動するウインチから構成されたテント開閉装置において、前記誘導体が、駆動用ロープに対して架け渡し方向に調整可能に構成され、且つ移動滑車がガイド用ロープに対して上下方向に調整可能に構成されていることを特徴とするテント開閉装置。
【請求項２】
空間部の屋根を形成するフレームの大小に応じて単数又は複数に分割したシートから形成されたテントを、該テントの開閉方向に沿って架け渡した駆動用ロープ及びガイド用ロープに連結すべく、テントの開閉方向と交差する方向に沿って所望の間隔で横設した複数本の棒状体のうち先端の棒状体に取り付けられた誘導体を駆動用ロープに固定し、他の棒状体に取り付けられた移動滑車をガイド用ロープに取り付け、該駆動用ロープをウインチで移動することで、テントを開閉移動するテントの開閉方法であって、前記テントを駆動用ロープ及びガイド用ロープに取り付ける際、誘導体を駆動用ロープの所望位置に水平移動して固定するとともに、移動滑車をガイド用ロープ及び駆動用ロープとの上下方向で長さ調整することでテントを駆動用ロープ及びガイド用ロープに取付けた後、ウインチで駆動用ロープを移動し、テントをガイド用ロープに沿って開閉移動することを特徴とするテントの開閉方法。
【発明の詳細な説明】
【発明の詳細な説明】
【技術分野】
【０００１】本発明は、工場等の屋外部分の屋根を形成するフレームに沿って単数又は複数に分割したシート体から形成されたテントを移動して屋根部分を開閉するテント、又は土木工事等で雨、直射日光から作業員を保護する作業用のテントの開閉装置、及びテントの開閉方法に関する。
【背景技術】
【０００２】近年、工場の屋根や架設工事現場で使用するテントの開閉装置は、屋外の空間部の一部又は全体を囲むように立設した山形勾配のフレーム、又は片面勾配のフレームと、該フレームの屋根に沿って被覆する単数又は複数に分割したシートから形成されたテントと、テントの両端部にそれぞれ連結した複数本の駆動用ロープと、各駆動用ロープを巻き取り移動する巻き取り方式のウインチから構成され、テントを開閉移動する場合は、一方側のウインチで駆動用ロープを巻き取り移動（又は引き出し移動）するとともに、他方のウインチで駆動用ロープを引き出し移動（又は巻き取り移動）することで、屋外の空間部の一部又は全体を被覆する各シートを開閉移動することで、、テントをフレームに沿って開放又は被覆移動する。【０００３】また、上記テントはその面積に応じて、フレームのテント体の移動方向に沿ってガイド用ロープを架け渡し、駆動用ロープを移動することでガイド用ロープに沿ってテント体を開閉移動する。【０００４】また、エンドレス方式のウインチを用いたテントの開閉装置は、テントの開閉方向に沿って架け渡したガイド用ロープに沿って駆動用ロープをエンドレス状に架け渡し、該駆動用ロープにテントに横設した棒状体のうち先端の棒状体に取り付けた誘導体を取り付け、他の棒状体に取り付けられた移動滑車をガイド用ロープ及び駆動用ロープに移動自在に取り付けて構成することで、ウインチで駆動用ロープを移動してテントをガイド用ロープに沿って開閉移動する。
【発明の開示】
【発明が解決しようとする課題】
【０００５】しかしながら、上記テントの開閉装置は、複数台の巻き取り方式のウインチを用いて駆動用ロープを移動するために、各ウインチを連動し同期して駆動用ロープを移動しなければならず、その連動する操作が煩雑であり頻繁な各ウインチのメンテナンス作業を必要とする欠点があった。【０００６】また、エンドレス方式のウインチを用いた場合は、駆動用ロープがガイド用ロープの上下方向に架け渡すが、誘導体は駆動用ロープに固定し、移動滑車は予め形成された長さを有してガイド用ロープに移動自在に取り付けるが、駆動用ロープとテントとの上下方向及び移動滑車とガイド用ロープとの上下方向の距離がテントの重量等によりテント設置後に変更する場合があり、微調整が必要であるが誘導体及び移動滑車の微調整ができないという欠点があった。【０００７】このため、ガイド用ロープに沿ってスムーズなテントの開閉移動ができない欠点があった。【０００８】また、上記のように上下方向で長さ調整が適切に行われていないために、頻繁なメンテナンス作業を必要とする欠点があった。【０００９】さらに、エンドレス方式のウインチを用いた場合は、駆動用ロープをエンドレス状に架け渡すが、屋根を形成するフレームの形状、面積に応じてガイド用ロープとの上下方向の高さ方向の距離間が相違する場合、又は複数本のガイド用ロープが架け渡されている場合に駆動用ロープが接触しないようにガイド用ロープと相違する高さ位置で吊り張りする必要があり、このため複数本の長さの相違する移動滑車を準備する必要があり、コストの面で大きな負担となる欠点があった。【００１０】そこで、本願発明は上記課題を解決し、テントに設けられた誘導体及び移動滑車の取り付けが容易で、且つ駆動用ロープ及びガイド用ロープへ適切に取り付けられ、スムーズなテントの開閉移動が可能なテントの開閉装置、及びテントの開閉方法を提供することを課題とする。
【課題を解決するための手段】
【００１１】上記課題を解決するためのテントの開閉装置は、請求項１に記載のように、空間部の屋根を形成するフレームの大小に応じて単数又は複数に分割したシートから形成されたテントと、該テントの開閉方向と交差する方向に沿って所望の間隔で横設した複数本の棒状体と、前記テントの先端の棒状体に取り付けられた誘導体と、前記他の棒状体に取り付けられた移動滑車と、前記テントの開閉方向に沿って架け渡し、移動滑車を移動自在に取り付けたガイド用ロープと、前記テントの開閉方向に沿って架け渡し、誘導体を固定した駆動用ロープと、該駆動用ロープを移動するウインチから構成されたテントの開閉装置において、前記誘導体が、駆動用ロープに対して架け渡し方向に調整可能に構成され、且つ移動滑車がガイド用ロープに対して上下方向に調整可能に構成されていることを特徴とする。【００１２】また、上記課題を解決するためのテントの開閉方法は、請求項２に記載のように、空間部の屋根を形成するフレームの大小に応じて単数又は複数に分割したシートから形成されたテントを、該テントの開閉方向に沿って架け渡した駆動用ロープ及びガイド用ロープに連結すべく、テントの開閉方向と交差する方向に沿って所望の間隔で横設した複数本の棒状体のうち先端の棒状体に取り付けられた誘導体を駆動用ロープに固定し、他の駆動用ロープに取り付けた移動滑車をガイド用ロープに取り付け、該駆動用ロープをウインチで移動することで、テントを開閉移動するテントの開閉方法であって、前記テントを駆動用ロープ及びガイド用ロープに取り付ける際、誘導体を駆動用ロープの所望位置に水平移動して固定するとともに、移動滑車をガイド用ロープ及び駆動用ロープとの上下方向の長さ調整することで、テントを駆動用ロープ及びガイド用ロープに取り付けた後、ウインチで駆動用ロープの移動しながら、テントをガイド用ロープに沿って開閉移動することを特徴とする。
【発明の作用及び効果】
【００１３】本願発明のテントの開閉装置、及びテントの開閉方法の作用、効果について説明する。
【００１４】先ず、請求項１に記載のテントの開閉装置は、屋根部分を形成するフレームの大小に応じて単数又は複数に分割されたシートで屋根全体を覆うテントを形成し、フレームのテントの開閉方向に沿って複数本のガイド用ロープを等間隔で固定した状態で架け渡すとともに、ウインチで移動する駆動用ロープをガイド用ロープと並行にフレームに取り付けた滑車を介してエンドレス状に架け渡す。
【００１５】この際、移動滑車は上下方向で長さ調整可能であるために、駆動用ロープはガイド用ロープ間であればガイド用ロープとの上下方向の高さを問題とすることなく最適な位置で架け渡すことができる。
【００１６】次に、前記テントの開閉方法と交差する方向に沿って所望の間隔で複数本の棒状体を横設し、先端の棒状体に駆動用ロープに固定する誘導体を取り付け、他の棒状体に移動滑車をそれぞれ複数個取り付ける。
【００１７】その後、前記誘導体を駆動用ロープに固定するとともに、前記移動滑車をガイド用ロープ及び駆動用ロープに移動自在に取り付ける。
【００１８】この際、誘導体は駆動用ロープの水平移動可能であるので、設置後に駆動用ロープに沿って微調整移動して適切な位置で固定、また、移動滑車はガイド用ロープとの上下方向の高さ調整及び駆動用ロープとの上下方向の高さ調整して最適な長さ位置にして固定することで、テントを適切に駆動用ロープ及びガイド用ロープに吊り張りすることができる。
【００１９】このように、本願発明はテントと、駆動用ロープ及びガイド用ロープとの連結が容易であり、最適な位置でテントの吊り張りができる。
【００２０】また、誘導体及び移動滑車の微調整が可能であるために、駆動用ロープ及びガイド用ロープの架け渡し位置が自在であり、最適なテントの吊り張りを可能とする。
【００２１】次に、請求項２のテントの開閉方法は、先ず空間部の屋根を形成するフレームの大小に応じて単数又は複数に分割したシートからテントを形成し、テントの開閉方向と交差する方向に沿って所望の間隔で複数本の棒状体を横設した後、先端の棒状体に誘導体を取り付け、その他の棒状体に複数個の移動滑車を取り付ける。
【００２２】その後、前記フレームの開閉方向に沿って所望の間隔で複数本のガイド用ロープを固定した状態で架け渡し、該ガイド用ロープと並行に駆動用ロープをエンドレス状に滑車を介して架け渡し、ウインチで駆動用ロープをエンドレス状に移動すべく設置する。
【００２３】そして、前記駆動用ロープに誘導体を固定するとともに、ガイド用ロープ及び駆動用ロープに移動滑車を移動自在に取り付ける。
【００２４】この際、誘導体は水平移動して最適な位置で駆動用ロープに固定することができ、移動滑車はガイド用ロープ及び駆動用ロープとの高さ方向を自在に調整して最適な位置で取り付けることで、駆動用ロープをスムーズに移動ガイド用ロープに沿ってスムーズに移動できる。
【００２５】上記のようにテントをガイド用ロープに沿って吊り張りした後、ウインチを駆動して駆動用ロープをエンドレス状に移動し誘導体を移動するとともに、移動滑車をガイド用ロープに沿って移動することで、テントを移動しフレームに沿って開放及び閉塞することができる。
【００２６】このように、本願発明はガイド用ロープに沿ってテントをスムーズに開閉移動することができ、頻繁なメンテナンス作業を必要としないという顕著な効果を有する。
【００２７】また、駆動用ロープ及びガイド用ロープを最適な位置で架け渡すことができ、あらゆる空間に沿ってテントの開閉移動を可能とする。
【発明を実施するための最良の形態】
【００２８】本願発明のテントの開閉装置、及びテントの開閉方法について図面を用いて説明する。【００２９】図１は本願発明のテントの開閉装置を示す概略説明平面図であり、図２は駆動用ロープに取り付けられた誘導体を示す概略説明側面図であり、図３はガイド用ロープに取り付けられた移動滑車を示す概略説明側面図であり、図４はテントの開放状態を示す概略説明平面図であり、図５はテントの閉塞状態を示す概略説明平面図であり、図６は駆動用ロープを移動するエンドレス方式のウインチを示す概略説明平面図であり、図７、図８は誘導体の他実施例を示す概略説明側面図であり、図９、図１０はテントの開閉方法を示すフローチャートを示す。【００３０】本願発明のテントの開閉装置１は、屋根を形成するフレーム２０部分に沿って設けられ単数又は複数に分割したシート２Ａから形成されたテント２と、該テント２の開閉方向と交差する方向に沿って所望の間隔で横設された複数体の棒状体３と、開閉方向の先端の棒状体３Ａに駆動用ロープ７の本数に応じて１又は複数個取り付けられた誘導体４と、他の棒状体３に取り付けられた複数個の移動滑車５と、前記移動滑車５を取り付けテント２の開閉方向に沿って両端側をフレーム２０に固定し架け渡したガイド用ロープ６と、前記誘導体４を固定し、該ガイド用ロープ６に並行でフレーム２０に取り付けた滑車７Ａを介してエンドレス状に架け渡した駆動用ロープ７と、該駆動用ロープ７を移動するエンドレス方式のウインチ８とから構成されている。【００３１】前記誘導体４は、駆動用ロープ７に固定する筒状の固定部９Ａを有し、駆動用ロープ７を固定部９Ａに挿通した後、微調整移動して螺子等（図示せず）を螺合して駆動用ロープ７に固定し、また前記固定部９Ａの下方にスライド可能な移動調整部９Ｂを有し、該移動調整部９Ｂを上下移動して所望の位置でピン等を介して固定することでテント２と駆動用ロープ７との上下方向の長さを調整し、テント２と駆動用ロープ７との間の微調整移動することができる。【００３２】尚、誘導体４の構成は上記実施例に限定されるものでなく、固定部９Ａを２個有する複数形状とすることで、駆動用ロープ７への固定部分の面積を広げ、固定力を強くすることができる。また、左右・上下方向の移動を一体的に行うことも可能である。【００３３】前記移動滑車５は、ガイド用ロープ６に移動自在に取り付ける滑車１０と、テント２とガイド用ロープ６の間隔を調整する調整部１１から構成され、該調整部１１は上下移動して所望の位置でピン等を介して固定することでガイド用ロープ６との上下方向の長さを調整し、テント２とガイド用ロープ５との間の微調整移動することができる。【００３４】このため、ガイド用ロープ６と駆動用ロープ７は、フレーム２０に沿って水平方向で並行して架け渡すことも、上下方向で並行に架け渡すことも可能であり、テント２の荷重やフレーム２０の状況に応じて自在に架け渡すことができる。【００３５】また、駆動用ロープ７は滑車７Ａを介してエンドレス状に架け渡すが、滑車７Ａのフレーム２０への固定位置も自在に設定することができる。【００３６】このため、最適な位置にテント２を吊り張りすることができる。【００３７】上記ウインチ８は、駆動用ロープ７を巻回する巻回ドラム８Ｂと、該巻回ドラム８Ｂの外周縁に形成された溝に沿って弾性体８Ｃで張設された移動ローラ体８Ａと、駆動用ロープ７をウインチ８に取り入れ及び取り出し移動するガイドシーブ８Ｄとから構成されたエンドレス方式のウインチを使用することで、巻回ドラム８Ｂを正・逆方向に回転して駆動用ロープ７を移動する際、該駆動用ロープ７を移動ローラ体８Ａで巻回ドラム、８Ｂの溝側に押圧しながら移動でき、巻回ドラム８Ｂの回転を確実に無駄なく駆動用ロープ７に伝導することができる。【００３８】また、前記ガイドシーブ８Ｄ及び移動ローラ体８Ａは、取り付けた方向が調整可能であるために、駆動用ロープ７に架け渡し方向に応じて、ウインチ８の設置位置が限定されるものでなく、最適な位置にウインチ８を設置することができる。【００３９】本願発明のテントの開閉装置１は上記のように構成され、該装置１を用いてテント２の開閉移動を行う場合について説明する。【００４０】先ず、屋根を形成するフレーム２０に沿って複数に分割したシート２Ａでテント２を形成し、該テント２の開閉方向と交差する方向に沿って所望の間隔で棒状体３を横設（テント２の袋状部分に挿通して取り付け、又はテント２に直接固定して取り付け）し、テント２の開閉方向先端の棒状体３Ａに誘導体４を駆動用ロープ７の数に応じて取り付け、他の棒状体３にガイド用ロープ６の数に応じて複数個の移動滑車５を取り付ける。【００４１】上記誘導体４及び移動滑車５は、それぞれ棒状体３に沿って所望の間隔でスライド移動でき、最適な位置で棒状体３にネジ等の固定手段（図示せず）を介して固定できる。【００４２】次に、前記フレーム２０の開閉方向に沿って所望の間隔で複数本のガイド用ロープ６を架け渡してフレーム２０に固定し、該ガイド用ロープ６に並行に駆動用ロープ７をフレーム２０に固定した滑車７Ａを介してエンドレス状に架け渡し、前記駆動用ロープ７を移動するウインチ８をフレーム２０の下方側に設置する。【００４３】その後、誘導体４の固定部９Ａを駆動用ロープ７に挿通し、所望の位置で誘導体４を駆動用ロープ７に固定し、移動滑車５の滑車１０をガイド用ロープ６に移動自在に取り付けた後、前記誘導体４の移動調整部９Ｂと移動滑車５の調整部１１とをそれぞれ駆動用ロープ７及びガイド用ロープ６との上下方向の長さに応じて微調整してテント２をフレーム２０に沿って適切な位置に吊り張りする。【００４４】上記により、本発明のテントの開閉装置１を屋根のフレーム２０に沿って適切に設置する。【００４５】次に、テント２で屋根を閉塞移動する場合は、ウインチ８を駆動して駆動用ロープ７を移動（→Ｃ方向）することで、テント２の先端の棒状体３Ａに取り付けた誘導体４を閉塞方向に移動するとともに、他の棒状体３に取り付けた移動滑車５をガイド用ロープ６に沿って移動（→Ｃ方向）して誘導体４及び移動滑車５に取り付けられたシート２Ａをそれぞれ同期しフレーム２０に沿って移動し、テント２で屋根を閉塞する。【００４６】この際、ウインチ８の巻回ドラム８Ｂの外周には移動ローラ体８Ａが設けられているので、駆動用ロープ７にウインチ８の回転駆動を確実に伝導しスムーズにテント２の閉塞移動が行うことができる。【００４７】また、駆動用ロープ７の移動がガイド用ロープ６に抵触することなくスムーズに移動することができる。【００４８】次に、屋根を開放する場合は、ウインチ８を上記と逆方向に駆動し駆動用ロープ７を移動（→Ｏ方向）することで、誘導体４を移動（→Ｏ方向）するとともに、移動滑車５をガイド用ロープ６に沿って移動（→Ｏ方向）して、誘導体４及び移動滑車５に取り付けられたシート２Ａをそれぞれフレーム２０に沿って移動して、テント２をフレーム２０の一端側に折り畳んで開放移動する。【００４９】これにより、フレーム２０の屋根部分を開放状態とすることができる。【００５０】この際もテント２の閉塞時と同様に、ウインチ８の駆動を確実に駆動用ロープ７に伝導することができ、スムーズなテント２の開放移動が可能である。【００５１】このように、本願発明のテントの開閉装置１は、テント２と駆動用ロープ７、ガイド用ロープ６との距離を自在に調整できるので、最適な位置でテント２の開閉移動ができる。【００５２】また、駆動用ロープ７とガイド用ロープ６との架け渡す位置の高さが相違しても、誘導体４の移動調整部９Ｂと移動滑車５の調整部１１の上下方向の長さ調整がそれぞれ独立しているために、自在に調整して取り付けできる。【００５３】また、上記構成よりテント２の開閉移動がスムーズに行え、頻繁なメンテナンス作業を必要としない。
【図面の簡単な説明】
【００５４】
【図１】本願発明のテントの開閉装置を示す概略説明平面図
【図２】駆動用ロープに取り付けた誘導体を示す概略説明側面図
【図３】ガイド用ロープに取り付けた移動滑車を示す概略説明側面図
【図４】テントの開放状態を示す概略説明平面図
【図５】テントの閉塞状態を示す概略説明平面図
【図６】駆動用ロープを移動するエンドレス方式のウインチを示す概略説明平面図
【図７】誘導体の他実施例を示す概略説明側面図
【図８】誘導体の他実施例を示す概略説明側面図
【図９】本願発明のテントの開閉方法のフローチャート
【図１０】本発明のテントの開閉方法のフローチャート
【符号の説明】
【００５５】１−テントの開閉装置、２−テント、３−棒状体、４−誘導体、５−移動滑車
６−ガイド用ロープ、７−駆動用ロープ、８−ウインチ、２０−フレーム
【図１】
2015209756.tif 000003
【図２】
2015209756.tif 000004
【図３】
2015209756.tif 000005
【図４】
2015209756.tif 000006
【図５】
2015209756.tif 000007
【図６】
2015209756.tif 000008
【図７】
2015209756.tif 000009
【図８】
2015209756.tif 000010
【図９】
2015209756.tif 000011
【図１０】
2015209756.tif 000012